(57)【要約】  【課題】  帽子のクラウン部、鍔部、庇部等にハンカチ等の布帛を取り付ける場合にワンタッチで着脱可能にし、風で外れない力で布帛を挟持する。  【解決手段】  布帛を挟持する切り込みをクラウン部、鍔部、庇部の内、少なくとも一つの部位に備え、前記切り込みの形状を連なる三角波形、略X形、略Y形、略アスタリスク形の内のいずれか一つ,またはその組み合わせとした構成。【選択図】  図２
0003137384.tif 000002
【実用新案登録請求の範囲】
【請求項１】
布帛を挟持可能な切り込みを備え、前記切り込みの形状を連なる三角波形、略X形、略Y形、略アスタリスク形の内のいずれか一つ,またはその組み合わせとしたたことを特徴とする帽子。
【請求項２】
切り込みを配設した部分がゴムシート、樹脂シート、ゴム部材を塗布した布地、樹脂部材を塗布した布地の内、いずれか一つ,またはその組み合わせからなることを特徴とする請求項１記載の帽子。
【考案の詳細な説明】
【技術分野】
【０００１】
本考案は、飾り布、日除けの布帛たとえばハンカチ、タオル等をワンタッチで着脱可能にした帽子に関する。
【背景技術】
【０００２】
従来、頭部を夏の強い太陽の光から保護するために帽子を被着する。そして野外をフィールドとするスポーツ、釣り、登山などでは、維持する姿勢の方向、或いは歩く方向によって頭部および首部に長時間に渡って太陽光を受けるため、この部分を太陽光から保護するために日除け部付き帽子が数多く提案されている。
【０００３】
帽子の周壁部または鍔部にかがり穴を設け、内外に貫通する開口を設けて布を装着する構成として登録実用新案第３０３９８２７号が提案されている。
【特許文献１】登録実用新案第３０３９８２７号公報
【考案の開示】
【考案が解決しようとする課題】
【０００４】
しかし特許文献１における帽子はかがり穴の形状を明示していない。推測では直線状のかがり穴と考えられる。また特許文献１においてはハンケチ６の一辺の両端部をハトメ１１に帽体１ｄの内側から挿入し、その先端を外側に引き出して結び目１２を設けて取り付ける構成としている。（段落番号００１６参照）従って、前記かがり穴を通して外側に引き出したハンカチの端部も結び目を作って帽子に係止しているものと推量される。結び目を作らず、かがり穴にハンカチの端部を挿通しただけではハンカチを保持する力が弱く、ハンカチが風を受けただけで抜け落ちてしまう恐れがあった。
【０００５】
本考案は帽子のクラウン部、鍔部、庇部等にハンカチ等の布帛を取り付ける場合にワンタッチで着脱可能にすることを目的とする。さらに布帛の端部に結び目等を形成することなく、ワンタッチで取り付けた布帛の挟持力を強くすることを目的とする。
【課題を解決するための手段】
【０００６】
本考案にかかる帽子は、布帛を挟持可能な切り込みを備え、前記切り込みの形状を連なる三角波形、略X形、略Y形、略アスタリスク形の内のいずれか一つ,またはその組み合わせとしたことを特徴としたもので、布帛を挟持する力を強くでき風で外れない。また、布帛の端部に結び目等を形成することなくワンタッチで帽子に着脱できる。
【０００７】
さらに本考案にかかる帽子は、前記切り込みを配設した部分がゴムシート、樹脂シート、ゴム部材を塗布した布地、樹脂部材を塗布した布地の内、いずれか一つ,またはその組み合わせからなることを特徴としたもので、布帛を弾性挟持する力を強くできる。
【０００８】
さらに本考案にかかる帽子は、前記切り込みをクラウン部、鍔部、庇部、後頭部に巻回したリング状帯状体の内、少なくとも一つの部位に備えたことを特徴としたもので、布帛を帽子にワンタッチで着脱できる。
【考案の効果】
【０００９】
上記構成により本考案の帽子は、布帛を挟持する力を強くでき風で外れない。また、布帛の端部に結び目等を形成することなくワンタッチで帽子に着脱できる。
さらに本考案は、従来の帽子製造工程及び工法をほぼ変更する必要が無く、製造コストも大幅に上がらない。
【考案を実施するための最良の形態】
【００１０】
本考案にかかる帽子は上述の通りである。帽子を構成する部材は一般的に使用される任意の部材としてよい。例えば麻、綿、フェルト、合成繊維等を織った生地、麦わら、紙などを用いればよい。
さらに、帽子は頭部を覆うクラウン部、クラウン部の周囲に環状に設けた鍔部、顔面上方に設けた庇部、後頭部に巻回したリング状帯状体等を所望に組み合わせて構成すればよい。
【００１１】
さらに、帽子の内外を貫通し布帛を挟持する切れ目は前記クラウン部、鍔部、庇部、後頭部に巻回したリング状帯状体の内、少なくとも一つの部位に備えるのが好ましい。切れ目の数は少なくとも２箇所以上とするのが好ましい。切れ目の形状は前述したごとく連なる三角波形、略X形、略Y形、略アスタリスク形の内のいずれか一つ,またはその組み合わせとするのが好ましい(図５参照)。なお、釦ホールと同様に、切れ目がほつれないよう切れ目に穴かがりを施してもよい。
【実施例１】
【００１２】
以下、本考案の帽子を図面とともに説明する。図１は本考案の一実施例における帽子の側面図、図２は図１の帽子に布帛を取り付けた状態の側面図、図５(A)〜(E)は本考案の実施例に用いる切れ目の形状図を示す。
【００１３】
図1、図２に示す帽子１００は、クラウン部１０と庇部２０を備えた布製の帽子である。そして、クラウン部１０の側頭部周囲に対称形に４箇所と後頭部に１箇所(図示せず)の計５箇所に略X形の切れ目３０を帽子の内外を貫通するごとく配設している。また、切れ目には糸のほつれを防止する穴かがりを施している。(図示せず)
【００１４】
前記切れ目３０にハンカチ４０の端部を指で２〜３箇所押し込むことにより、前記ハンカチ４０は切れ目30により弾性挟持される。ハンカチ４０は帽子１００の外側からワンタッチで押し込んで取り付けるのが便利だが別段、帽子１００の内側から押し込んで挟持し、その後、頭部に被るようにしてもよい。
【００１５】
上記構成により少々強い風が吹いても、自転車に乗って走行してもハンカチ４０が帽子１００から外れることはない。ハンカチ４０の取り外しも至って簡単で、ハンカチ４０を強く引っ張るだけでよい。このように本発明の帽子はハンカチ等の布帛を容易に、瞬時にワンタッチで着脱できる。
【００１６】
なお、切れ目３０はクラウン部１０を構成している布地に直接配設してもよいが、予め切れ目を配設する部分に樹脂またはゴム部材を１００μｍ〜５００μｍの厚さに塗布し、弾性を持たせるようにしてもよい。塗布する面はクラウン部１０の内面または外面のどちらか一方、または両面など任意に設定すればよい。
【実施例２】
【００１７】
図３は本考案のもう一つの実施例における帽子の側面図を示す。帽子２００の基本的な構成は実施例１の場合と同様で、クラウン部２１０と庇部２２０を備えた布製の帽子である。実施例１と異なる点は、厚さ２００μｍ〜１mm程度の樹脂シートまたはゴム部材からなる弾性シート２５０に略X形の切れ目２３０を配設した挟持シート２５０を別工程で用意し、該挟持シート２５０をクラウン部２１０に複数箇所縫製または接着した構成としている。
【００１８】
なお、切れ目部分に相当する範囲のクラウン部２１０をくりぬいて空洞としてよいことは自明である。勿論、空洞に代えクラウン部２１０の切れ目２３０に対応する位置にも切れ目を重ねて設けるようにしてもよい。
さらに、挟持シート２５０の配設面はクラウン部２１０の内面または外面のどちらか一方とすればよい。勿論、両面に配設してもよい。
上記構成により実施例２の帽子においてもハンカチ等の布帛を容易に、ワンタッチで着脱できる。
【００１９】
なお、上記実施例において帽子の形状や切れ目を配設する箇所、切れ目の形状等が任意であってよいことは自明である。例えば、図４に示すごとくクラウン部３１０と鍔部３２０とを備え、略X形の切れ目３３０を鍔部３２０に複数箇所対称系に配設するようにしてもよい。
さらに、帽子の形状はクラウン部と庇部を備えた帽子、クラウン部と鍔部を備えた帽子の他に、庇部とリング状帯状体を備えたもの(登録実用新案第３１０９５９７号公報参照)、クラウン部のみのものであってもよい。
【産業上の利用可能性】
【００２０】
本考案は帽子への布帛取り付けの他に、住宅や車の窓を遮蔽するカーテン、暖簾等の取り付けにも利用できる。切れ目を複数箇所設けたプレート、ベルトまたは棒材を用意し、該プレートまたは棒材を窓近傍や通路の側壁間に架け渡し、所望の布帛を取り付ければよい。
さらに、洗濯物を干す竿の代わりとしても利用できる。切れ目を所定間隔に複数箇所設けた帯状体を張架し、洗濯物をワンタッチで弾性挟持して干すことができる。
【図面の簡単な説明】
【００２１】
【図１】本考案の一実施例における帽子の側面図
【図２】図１の帽子に布帛を取り付けた状態の側面図
【図３】本考案のもう一つの実施例における帽子の側面図
【図４】本考案のもう一つの実施例における帽子の側面図
【図５】(A)〜(E)  本考案の実施例に用いる切れ目の形状図
【符号の説明】
【００２２】
１０、２１０、３１０  クラウン部
２０、２２０  庇部
３０、２３０、３３０  切れ目
４０  布帛(ハンカチ、タオル等)
６０  切り込み（ハーフカット）
１００、２００、３００  帽子
２５０  挟持シート
３２０  鍔部
【図１】
0003137384.tif 000003
【図２】
0003137384.tif 000004
【図３】
0003137384.tif 000005
【図４】
0003137384.tif 000006
【図５】
0003137384.tif 000007